(57)【要約】【課題】ユーザが触れた際にカバーが外れにくい照明装置を提供する。【解決手段】半導体発光素子５２を光源とし、その光出射方向を下にした状態で配された発光部４と、発光部４の上側を覆うケース３と、発光部４の下側を覆い、ケース３に結合されてケース３との間に発光部４を収容する透光性のカバー８０と、を備えた吊下げ型の照明装置１である。照明装置１は、鉛直な断面において、ケース３とカバー８０との境界部分５におけるケース３の最も外側の部分である外周縁２０ａを通る鉛直な直線である第１仮想直線Ｖ１を想定した場合、境界部分５におけるカバー８０の最も外側の部分である外周縁８０ａは、第１仮想直線Ｖ１上に位置しているか、または、第１仮想直線Ｖ１よりも内側に位置していることを特徴とする。【選択図】図５
2014130743.tif 000002
【特許請求の範囲】
【請求項１】
半導体発光素子を光源とし、その光出射方向を下にした状態で配された発光部と、前記発光部の上側を覆うケースと、前記発光部の下側を覆い、前記ケースに結合されて前記ケースとの間に前記発光部を収容する透光性のカバーと、を備えた吊下げ型の照明装置であって、
鉛直な断面において、前記ケースと前記カバーとの境界部分における前記ケースの最も外側の部分である外周縁を通る鉛直な直線である第１仮想直線を想定した場合、前記境界部分における前記カバーの最も外側の部分である外周縁は、前記第１仮想直線上に位置しているか、または、前記第１仮想直線よりも内側に位置している
ことを特徴とする照明装置。
【請求項２】
鉛直な断面において、前記境界部分における前記カバーの前記外周縁を通る鉛直な直線である第２仮想直線を想定した場合、前記カバーの前記境界部分における前記外周縁以外の部分は、前記第２仮想直線上に位置しているか、または、前記第２仮想直線よりも内側に位置している
ことを特徴とする請求項１に記載の照明装置。
【請求項３】
前記境界部分において、前記ケースおよび前記カバーは共に、相手側と対向する対向部分を有し、
前記ケースおよび前記カバーのうち、少なくとも一方の前記対向部分には、外側が切り欠かれて段差が形成されており、
前記切り欠かれた部分の段差面のうち、相手側の前記対向部分と対向する面である合わせ面と、相手側の前記対向部分との間の上下方向の間隔は、２ｍｍ 以下である
ことを特徴とする請求項１または２に記載の照明装置。
【請求項４】
前記上下方向の間隔は、０．３ｍｍ以上０．７ｍｍ以下である
ことを特徴とする請求項３に記載の照明装置。
【請求項５】
前記段差は、前記ケースに形成されており、
前記合わせ面の外側部分は、外側に向かうほど前記カバーの前記対向部分から離間する傾斜面である
ことを特徴とする請求項３または４に記載の照明装置。
【請求項６】
前記カバーは、前記発光部から発せられた光が入射する光入射部を有し、前記入射した光の一部は、前記カバー内部において導光され、前記カバーの前記対向部分から前記ケースの前記傾斜面に向けて出射される
ことを特徴とする請求項５に記載の照明装置。
【請求項７】
前記ケースは係合部を有し、前記カバーは前記係合部と係合する被係合部を有し、前記係合部と前記被係合部との係合により、前記カバーと前記ケースとが結合されている
ことを特徴とする請求項１から６の何れか１項に記載の照明装置。
【発明の詳細な説明】
【技術分野】
【０００１】
本発明は、照明装置に関し、特に吊下げ型照明装置に関する。
【背景技術】
【０００２】
照明装置には、目的に応じて、室内のある部分だけを照らす部分照明タイプがある。部分照明タイプの照明装置として、例えば、天井から吊り下げられ、食卓を部分的に明るく照らす吊下げ型照明装置、所謂ペンダントライトがある。このような吊下げ型照明装置は、一般に、上側に配されたケースと下側に配された透光性のカバーとにより囲まれた空間内に光源が収容されて成る照明装置本体が、ワイヤーやコード等の吊り具により吊下げられた構成を有する。そして、透光性のカバーを介して光源からの光が下に出射される。
【０００３】
従来、光源には、白熱電球や蛍光灯などが用いられてきた。近年、省エネルギーの観点より光源にＬＥＤ（Ｌｉｇｈｔ  Ｅｍｉｔｔｉｎｇ  Ｄｉｏｄｅ）等の半導体発光素子を用いた吊下げ型照明装置が普及してきている。
【先行技術文献】
【特許文献】
【０００４】
【特許文献１】特開２０１１−２２２４２０号公報
【特許文献２】特許第５０５５４５６号
【非特許文献】
【０００５】
パナソニック  住宅用照明器具カタログ  「ＬＩＧＨＴＩＮＧＭＯＤＥ  あかりでつくる素敵な暮らし  ２０１２−２０１３」
【発明の概要】
【発明が解決しようとする課題】
【０００６】
吊下げ型照明装置は、天井に取り付けられるシーリングライト等とは異なり、ユーザが手で触れることができる高さに照明装置本体が位置する場合が多い。そのため、ユーザの手や洋服などが不意に照明装置本体に触れた際に、カバーがケースから外れてしまう場合がある。そのような場合、点灯中にユーザが照明装置の中を触って、故障等の不都合が発生する虞がある。さらには、カバーがケースから外れて食卓に落下すると、食器が割れたり、料理が台無しになったり、飛び散った料理で周囲が汚れたりといった様々な不都合が生じる虞がある。
【０００７】
本発明は上記課題に鑑みてなされたものであって、ユーザが触れた場合にカバーが外れにくい照明装置を提供することを目的とする。
【課題を解決するための手段】
【０００８】
上記目的を達成するために、本発明の一態様に係る照明装置は、半導体発光素子を光源とし、その光出射方向を下にした状態で配された発光部と、前記発光部の上側を覆うケースと、前記発光部の下側を覆い、前記ケースに結合されて前記ケースとの間に前記発光部を収容する透光性のカバーと、を備えた吊下げ型の照明装置であって、鉛直な断面において、前記ケースと前記カバーとの境界部分における前記ケースの最も外側の部分である外周縁を通る鉛直な直線である第１仮想直線を想定した場合、前記境界部分における前記カバーの最も外側の部分である外周縁は、前記第１仮想直線上に位置しているか、または、前記第１仮想直線よりも内側に位置していることを特徴とする。
【０００９】
また、別の態様では、鉛直な断面において、前記境界部分における前記カバーの前記外周縁を通る鉛直な直線である第２仮想直線を想定した場合、前記カバーの前記境界部分における前記外周縁以外の部分は、前記第２仮想直線上に位置しているか、または、前記第２仮想直線よりも内側に位置していることを特徴とする構成であってもよい。
また、別の態様では、前記境界部分において、前記ケースおよび前記カバーは共に、相手側と対向する対向部分を有し、前記ケースおよび前記カバーのうち、少なくとも一方の前記対向部分には、外側が切り欠かれて段差が形成されており、前記切り欠かれた部分の段差面のうち、相手側の前記対向部分と対向する面である合わせ面と、相手側の前記対向部分との間の上下方向の間隔は、２ｍｍ 以下であることを特徴とする構成であってもよい。
【００１０】
また、別の態様では、前記上下方向の間隔は、０．３ｍｍ以上０．７ｍｍ以下であることを特徴とする構成であってもよい。
また、別の態様では、前記段差は、前記ケースに形成されており、前記合わせ面の外側部分は、外側に向かうほど前記カバーの前記対向部分から離間する傾斜面であることを特徴とする構成であってもよい。
【００１１】
また、別の態様では、前記カバーは、前記発光部から発せられた光が入射する光入射部を有し、前記入射した光の一部は、前記カバー内部において導光され、前記カバーの前記対向部分から前記ケースの前記傾斜面に向けて出射されることを特徴とする構成であってもよい。
また、別の態様では、前記ケースは係合部を有し、前記カバーは前記係合部と係合する被係合部を有し、前記係合部と前記被係合部との係合により、前記カバーと前記ケースとが結合されていることを特徴とする構成であってもよい。
【発明の効果】
【００１２】
本発明の一態様に係る照明装置では、ケースとカバーとの境界部分において、ケースの外面とカバーの外面との間に水平方向において段差が無いか、または、ケースの外面がカバーの外面よりも水平方向外側に出っ張っている。言い換えれば、上記境界部分において、ケースの外面とカバーの外面とが所謂面一の関係にあるか、または、カバーの外面がケースの外面よりも水平方向内側に引っ込んでいる。これにより、ユーザの手が照明装置の境界部分に上から下へと触れた場合に、カバーに大きな負荷がかかるのを防ぐことができるため、カバーが外れにくい。
【図面の簡単な説明】
【００１３】
【図１】実施形態１に係る照明装置の斜視図であり、（ａ）は斜め上から見た照明装置の斜視図であり、（ｂ）は斜め下から見た照明装置の斜視図である。
【図２】実施形態１に係る照明装置の側面図である。
【図３】実施形態１に係る照明装置の分解斜視図である。
【図４】実施形態１に係る照明装置の発光部および基台の、図３とは上下逆から見た分解斜視図である。
【図５】（ａ）は、実施形態１に係る照明装置の一部縦断面図である。（ｂ）は、（ａ）の円Ｃで囲まれた部分の拡大断面図である。（ｃ）は、実施形態２に係る照明装置の（ｂ）に相当する部分の拡大断面図である。
【図６】（ａ）は、実施形態１に係るケースの平面図である。（ｂ）は、実施形態１に係るケースの底面図である。（ｃ）は、実施形態１に係るカバーの平面図である。（ｄ）は、実施形態１に係るカバーの底面図である。
【図７】（ａ）は、実施形態２に係るケースの平面図である。（ｂ）は、実施形態２に係るケースの底面図である。（ｃ）は、実施形態２に係るカバーの平面図である。（ｄ）は、実施形態２に係るカバーの底面図である。
【図８】（ａ）は、実施形態３に係る照明装置の一部縦断面図である。（ｂ）は、（ａ）の円Ｅで囲まれた部分の拡大断面図である。
【図９】（ａ）は、変形例５に係る照明装置の、要部拡大断面図である。（ｂ）は、変形例６に係る照明装置の、要部拡大断面図である。（ｃ）は、変形例７に係る照明装置の、要部拡大断面図である。（ｄ）は、変形例８に係る照明装置の、要部拡大断面図である。
【発明を実施するための形態】
【００１４】
本発明を実施するための形態を、以下に図面を参照して詳細に説明する。なお、各図は、模式図であり、図面に示された部品等の核構成要素の形状や寸法および比等については、必ずしも厳密に図示したものではない。
＜本発明の一態様の概要＞
本発明の一態様に係る照明装置は、半導体発光素子を光源とし、その光出射方向を下にした状態で配された発光部と、前記発光部の上側を覆うケースと、前記発光部の下側を覆い、前記ケースに結合されて前記ケースとの間に前記発光部を収容する透光性のカバーと、を備えた吊下げ型の照明装置であって、鉛直な断面において、前記ケースと前記カバーとの境界部分における前記ケースの最も外側の部分である外周縁を通る鉛直な直線である第１仮想直線を想定した場合、前記境界部分における前記カバーの最も外側の部分である外周縁は、前記第１仮想直線上に位置しているか、または、前記第１仮想直線よりも内側に位置していることを特徴とする。
【００１５】
本発明の別の態様に係る照明装置においては、鉛直な断面において、前記境界部分における前記カバーの前記外周縁を通る鉛直な直線である第２仮想直線を想定した場合、前記カバーの前記境界部分における前記外周縁以外の部分は、前記第２仮想直線上に位置しているか、または、前記第２仮想直線よりも内側に位置していてもよい。
これにより、ユーザが境界部分の更に下側まで触った場合であっても、カバーに境界部分よりも出っ張った部分がないため、カバーに大きな負荷がかかるのを防ぐことができ、カバーが外れにくい。
【００１６】
本発明の別の態様に係る照明装置においては、前記境界部分において、前記ケースおよび前記カバーは共に、相手側と対向する対向部分を有し、前記ケースおよび前記カバーのうち、少なくとも一方の前記対向部分には、外側が切り欠かれて段差が形成されており、前記切り欠かれた部分の段差面のうち、相手側の前記対向部分と対向する面である合わせ面と、相手側の前記対向部分との間の上下方向の間隔は、２ｍｍ 以下であってもよい。
【００１７】
境界部分に段差が設けられていることにより、外部から見た場合に、境界部分に隙間が形成されている。当該隙間が形成されていることにより、熱膨張による境界部分の圧力が緩和され、境界部分に圧力がかかることによる異音の発生を抑制することができる。また、上記圧力が緩和されるため、対向部分に圧力がかかっていびつになり、美観が劣化するのを防止することができる。さらには、製造誤差による対向部分の美観劣化を軽減する効果が得られる。
【００１８】
また、上記隙間の幅が２ｍｍ以下であり、ユーザの指が触れた際に指が隙間内に入りこまない程度の大きさであるため、境界部分にユーザの指が触れた場合に、カバーが外れにくい。
本発明の別の態様に係る照明装置においては、前記上下方向の間隔は、０．３ｍｍ以上０．７ｍｍ以下であってもよい。
【００１９】
これにより、ユーザの指が隙間に入りにくく、境界部分にユーザの指が触れた場合に、カバーが外れにくい。
本発明の別の態様に係る照明装置においては、前記段差は、前記ケースに形成されており、前記合わせ面の外側部分は、外側に向かうほど前記カバーの前記対向部分から離間する傾斜面であってもよい。
【００２０】
これにより、ＬＥＤからの光の一部がケースの対向部分に入射した場合、入射した光が傾斜面で反射されて外側に出射されるため、側方から見た場合に照明装置の側面部分に細い光の筋が観察され、美観演出効果を得ることができる。
本発明の別の態様に係る照明装置においては、前記カバーは、前記発光部から発せられた光が入射する光入射部を有し、前記入射した光の一部は、前記カバー内部において導光され、前記カバーの前記対向部分から前記ケースの前記傾斜面に向けて出射されてもよい。
【００２１】
これにより、ＬＥＤからの光の一部をケース対向部分に入射させて、上記美観演出効果をより確実に得ることができる。
本発明の別の態様に係る照明装置においては、前記ケースは係合部を有し、前記カバーは前記係合部と係合する被係合部を有し、前記係合部と前記被係合部との係合により、前記カバーと前記ケースとが結合されていてもよい。
【００２２】
これにより、ケースとカバーとの結合に、ネジ等の別部材を用いなくてもよいため、ネジ穴やネジ頭が外部に露出して美観を損ねるのを防止することができる。また、ネジや接着剤等の別部材を用いないため、部品点数および工程数が低減され、省資源化、作業効率の向上、およびコスト削減に資することができる。
≪実施形態１≫
［１．全体構成］
図１および図２は、実施形態１に係る照明装置１の外観を示す図である。照明装置１は、図１および図２において、紙面下（−Ｚ方向）へと光を出射する。以下、この出射方向を下とし、出射方向と反対方向（Ｚ方向）を上として説明する。また、上から見た場合を平面視とし、上下方向（Ｚ軸方向）と直交する方向から見る場合を側面視とし、下から見た場合を底面視とする。
【００２３】
図１（ａ）は、斜め上から見た照明装置１の斜視図である。図１（ｂ）は、斜め下から見た照明装置１の斜視図である。図２は、照明装置１の側面図である。
照明装置１は、吊下げ型の照明装置である。ここでは、照明装置の構成要素であるコード１０を利用して、例えば、天井面から吊り下げられて使用される。
照明装置１は、図１および図２に示すように、装置本体２と装置本体２に連結されたコード１０とを備える。
【００２４】
コード１０は、天井側の接続器具に着脱自在に装着されるアダプタ（図示省略）を上端に有する。コード１０は、装置本体２を吊下げるための吊り具としての機能に加え、装置本体２に電力を供給する配線としての機能も兼ねている。
また、ここでは図示していないが、接続器具は、例えば、引掛けシーリング、引掛けローゼット等が用いられ、アダプタとして、シーリングキャップ、コンセントアダプタ等が用いられる。
【００２５】
装置本体２は、全体としては、両端部が閉塞された扁平な円筒状であり、上面は上に緩やかに突出し、下面は下に緩やかに突出した形状をしている。そして、上面の中央からコード１０が導出されている。装置本体２は、平面視および底面視において、円形をしている。
図１および図２に示すように、装置本体２は、ケース３と下カバー８０とを有し、上側に配されたケース３と、下側に配された下カバー８０とが重ね合わされたような構成となっている。
【００２６】
図３は、照明装置１の分解斜視図である。図４は、基台４０および発光部４を、図３とは上下逆から見た場合の分解斜視図である。図５（ａ）は、鉛直な平面（上下方向の平面）による照明装置１の一部縦断面図である。なお、図５（ａ）においては、装置本体２の重心であり、平面視における装置本体２（上カバー２０）の中心でもある挿通孔２１ｂ１の中心を通る鉛直な平面による断面を示している。
【００２７】
照明装置１は、円盤状の基台４０と、基台４０に装着されて下に向けて光を出射する発光部４と、発光部４の全体を光出射側（下側）から覆う下カバー（本発明の「カバー」に相当する。）９０と、を備える。
ここでは、照明装置１は、さらに、基台４０を光出射方向と反対側（上側）から覆う上カバー２０、コード１０を基台４０に固定するための固定具３０等を備える。なお、装置本体２は、照明装置１からコード１０を取り外したものを指す。
【００２８】
［２．各部構成］
（１）ケース
ケース３は、上カバー２０および基台４０から構成されている。
（１−１）上カバー
上カバー２０は、図３に示すように、全体形状として、有底筒状をしている。上カバー２０の筒の底面に相当する部分である底部２１は、上に緩やかに突出するドーム状または椀状の平底部２１ａと、平底部２１ａの中央部に連続的に形成された円錐部２１ｂとから構成されている。円錐部２１ｂは、平底部２１ａよりも突出の傾斜が大きく、平底部２１ａと連続的に形成されている。上カバー２０の筒壁に相当する部分である周壁部２２の外周面２２ａは、装置本体２が吊るされた状態においては、略鉛直な面となっている。
【００２９】
上カバー２０は、図５（ａ）に示すように、肉厚が一定であり、発光部４が装着された基台４０や固定具３０が内部に収容される。
上カバー２０は、例えば、樹脂材料から構成されている。ここでは、上カバー２０は、１つの部材から構成されている。図１の（ａ）および図３において上カバー２０の中央部分に見えている円状の線Ａは、円の内外での形状変化（外面の曲率の変化）を示す線である。
【００３０】
上カバー２０の中央（円錐部２１ｂの頂点部分）には、図３および図５（ａ）に示すように、コード１０を挿通させるための挿通孔２１ｂ１が設けられている。
（１−２）基台
基台４０は、図３および図４に示すように、発光部４が装着され、発光部４を保持する役割を果たしている。
【００３１】
基台４０は、例えば、アルミ、スチール、チタン、銅等の金属材料、ポリイミドやＰＢＴ（Ｐｏｌｙｂｕｔｙｌｅｎｅ  ｔｅｒｅｐｈｔｈａｌａｔｅ）等の樹脂材料、およびセラミック等の材料から構成される。金属材料を用いる場合、発光中の発光部４から伝導してきた熱を高効率で放出できる効果が得られる。樹脂材料を用いる場合、軽量化の効果が得られる。また、基台は、異種材料を組み合わせて構成しても良く、例えば、樹脂材料と金属材料とが組み合わされて構成されてもよい。さらには、樹脂に金属フィラーを混入して熱伝導性を向上させた熱伝導性樹脂等を用いてもよい。
【００３２】
基台４０は、発光部４の形状に対応した形状を有し、ここでは、円盤状をしている。基台４０は、図４に示すように、中央部が上（Ｚ方向）に凹入して凹入部４１が形成されており、２段底の皿状の形状をしている。そして、凹入部４１に発光部４が収容されている。
凹入部４１は、発光部４の上部側の形状に沿って凹入しており、第１凹入部分４１ａと第２凹入部分４１ｂとを有する。つまり、第１凹入部分４１ａは第１底壁４１ａ１と第１筒壁４１ａ２とで規定され、第２凹入部分４１ｂは第２底壁４１ｂ１と第２筒壁４１ｂ２とで規定されている。
【００３３】
第１底壁４１ａ１は、最上位に存し、平坦な円盤状をしている。第１筒壁４１ａ２は第１底壁４１ａ１の周縁から下（−Ｚ方向）へと延出する円筒状をしている。第２底壁４１ｂ１は、第１筒壁４１ａ２の下端から第１筒壁４１ａ２の中心軸と直交する方向であって外方側へと延出する平坦な円環状をしている。第２筒壁４１ｂ２は、第２底壁４１ｂ１の周縁から下（−Ｚ方向）へと延出する円筒状をしている。
【００３４】
基台４０は、図３に示すように、固定具３０を装着するための装着手段の一部を構成する固定具用装着部４２と発光部４を装着するため装着手段の一部を構成する発光部用装着部４３とを第１底壁４１ａ１の上面中央部分に有する。
装着手段は、例えば、ネジ部材６ａ，６ｂを利用しており、固定具用装着部４２はネジ部材６ａが通される貫通孔を有し、発光部用装着部４３はネジ部材６ｂが螺着されるネジ穴を有する。
【００３５】
また、基台４０には、発光モジュール５０を基台４０に装着する際の位置決めに用いられる円柱状のボス４４が第１底壁４１ａ１の下面から下に延出している。
（２）固定具
固定具３０は、図３および図５（ａ）に示すように、全体形状が碗状をした本体部３１と、本体部３１の下端から径方向の外方へと張り出す鍔部３２を有する。本体部３１には、コード１０を挿通させるための挿通孔３１ａが椀底の中央に形成されている。
【００３６】
鍔部３２には、貫通孔３２ａが複数形成されている。ネジ部材６ａが貫通孔３２ａに挿通され、基台４０に螺着されることにより、固定具３０が基台４０に固定される。貫通孔３２ａの個数については、本実施形態においては、例えば、２個であるが、これに限られず、３個以上であってもよい。
固定具３０の鍔部３２には、基台４０と反射部材６０とを結合するためのネジ部材６ｂが配される部位に、切欠き３２ｂが形成されている。
【００３７】
（３）発光部
図３および図４に示すように、発光部４は、発光モジュール５０、反射部材６０、および導光部材７０を備える。
（３−１）発光モジュール
発光モジュール５０は、実装基板５１上に半導体発光素子としてのＬＥＤ５２が複数実装されて構成されている。本実施形態においては、ＬＥＤ５２は、実装基板５１の中央を中心とした１つの仮想円周上であって周方向に間隔（例えば、等間隔である。）をおいて、円環状に配置されている。
【００３８】
また、本実施形態においては、ＬＥＤ５２として、所謂、ＳＭＤ(Ｓｕｒｆａｃｅ  Ｍｏｕｎｔ  Ｄｅｖｉｃｅ)タイプのＬＥＤが利用されている。ＳＭＤタイプのＬＥＤは、ＬＥＤ素子とそれを封止するシリコーン樹脂等から成る封止体とが一体化されているため、ここでは、ＳＭＤとしてのＬＥＤを、ＬＥＤ５２として表す。ＬＥＤ素子から発せられた光の波長を変換する必要がある場合、波長変換材料（例えば、蛍光体粒子）が封止体に混入されてもよい。
【００３９】
実装基板５１は、樹脂やセラミック等の絶縁性の材料から成る板状の部材であり、ＬＥＤ５２を電気的に接続する配線パターン（不図示）が表面に形成されている。また、実装基板５１上には、配線パターンとコード１０とを電気的に接続するための接続端子５３が配設されている。
発光モジュール５０は、基台４０の第１凹入部分４１ａに挿入される。このため、実装基板５１の外周形状が第１筒壁４１ａ２の内周形状と略一致している。実装基板５１の外周形状および第１筒壁４１ａ２の内周形状は、底面視において、円の円周の一部を切り欠いたような形状をしている。これにより、発光モジュール５０の第１凹入部分４１ａ内における周方向の回転が規制される。
【００４０】
実装基板５１には、コード１０に含まれる１対の配線を挿通させるための貫通孔５１ａが中央に形成されている。また、実装基板５１には、ネジ部材６ｂを挿通させるための貫通孔５１ｂが、発光部用装着部４３の対応部位にそれぞれ形成されている。そして、実装基板５１には、貫通孔５１ｃが基台４０のボス４４に対応する位置に形成されており、ボス４４が貫通孔５１ｃに嵌合する。
【００４１】
接続端子５３は、コード１０に含まれる１対の配線の下端に装着されたソケット（図示省略）を着脱自在に装着可能とするアダプタにより構成されている。
（３−２）反射部材
反射部材６０は、ＬＥＤ５２から出射された光を導光部材７０の光入射部分７２に向けて反射させる部材である。反射部材６０は、高反射特性を有する材料により構成されている。このような材料として、金属材料、樹脂材料等がある。樹脂材料としては、例えば、高光反射性ポリブチレンテレフタレート（ＰＢＴ）樹脂、高反射ポリカーボネート（ＰＣ）樹脂等がある。
【００４２】
なお、反射部材６０として、高反射特性を有しない材料により構成することも可能である。但し、発光モジュール５０から発せられた光を導光部材７０側に反射する機能が必要な箇所には、反射面を形成する必要がある。
反射部材６０は、全体形状として盤状、ここでは、円盤状をしている。反射部材６０は、基台４０の第１凹入部分４１ａ内に挿入される。このため、反射部材６０の外周形状は、実装基板５１の外周形状や基台４０の第１筒壁４１ａ２の内周形状と略一致している。
【００４３】
反射部材６０は、発光モジュール５０の下面（ＬＥＤ５２が実装されている側の面）に対向する状態で配される。なお、反射部材６０は、ネジ部材６ｂにより基台４０に装着されている。
反射部材６０は、図４に示すように、下面から上（Ｚ方向）に凹入し且つ周方向に延伸する１本の溝部６１を有している。溝部６１は、底面視したとき、円環状をし、発光モジュール５０におけるＬＥＤ５２が実装されている仮想円周と一致している。この溝部６１には、図５（ａ）に示すように、導光部材７０の隆起部７１の上部が配される。
【００４４】
溝部６１の底面には、図３および図４に示すように、周方向に間隔をおいて厚さ方向（Ｚ軸方向）に貫通する貫通孔６２を複数有している。貫通孔６２は、図４に示すように、発光モジュール５０の各ＬＥＤ５２に対応した部分に設けられている。
溝部６１の壁面および貫通孔６２の内周面は光反射面となっている。これにより、ＬＥＤ５２から発せられた光のうち直接導光部材７０の光入射部分７２に入射しない光は、反射面７５によって光入射部分７２に向けて反射される。
【００４５】
反射部材６０は、溝部６１が存する部分より内側に位置する部分（中央部）が薄肉部６３となっている。
薄肉部６３の上面には、図３に示すように、上に延出するボス６４が、発光モジュール５０の貫通孔５１ｂと嵌合するように設けられている。ボス６４には、反射部材６０を基台４０に装着するために利用されるネジ孔が形成されている。
【００４６】
反射部材６０は、薄肉部６３の上面の略中央から上に筒状に近い形状で延出する筒状部分６５を有している。筒状部分６５の高さは、反射部材６０を基台４０に装着にした際に基台４０の第１底壁４１ａ１の内面と当接するように構成されている。
反射部材６０は、発光モジュール５０の接続端子（アダプタ）６１とコード１０の下端側に接続されているソケット（図示省略）とを収容するための収容空間を形成するように構成されている。この収容空間は、貫通孔６６を薄肉部６３に有することで形成される。
【００４７】
（３−３）導光部材
導光部材７０は、ＬＥＤ５２から発せられた光を導光して下へと出射する部材である。導光部材７０は、透光性に優れた材料により構成されている。透光性に優れた材料としては、例えばアクリル樹脂、ポリカーボネート樹脂、ポリスチレン樹脂、ガラス等を用いることができる。
【００４８】
導光部材７０は、図３および図４に示すように、全体形状として盤状、ここでは、円盤状をしている。導光部材７０は、図４および図５（ａ）に示すように、基台４０の第２凹入部分４１ｂに配される。このため、導光部材７０の外周形状は、基台４０の第２筒壁４１ｂ２の内周形状に略一致している。なお、第２筒壁４１ｂ２の内周および導光部材７０の外周の底面視形状は、略円形状をしている。
【００４９】
導光部材７０は、上に隆起する隆起部７１を有している。隆起部７１は、発光モジュール５０のＬＥＤ５２に対応して設けられている。ＬＥＤ５２が実装基板５１上に円環状に実装されており、隆起部７１もそれに対応して、周方向に連続した円環状に形成されている。導光部材７０は、下から見た場合、図４に示すように、隆起部７１の部分が上に凹入した形状となっている。
【００５０】
隆起部７１は、図４および図５（ａ）に示すように、反射部材６０の溝部６１内に配される。隆起部７１の隆起の峰部分（頂上部分）は、反射部材６０の貫通孔６２を介してＬＥＤ５２と対向しており、当該峰部分は、ＬＥＤ５２から発せられた光が入射する光入射部分７２となっている。
導光部材７０の隆起部７１よりも外側の部分は、外側部７３であり、内側の部分は、内側部７４である。光入射部分７２から導光部材７０内部に入射した光は、一部は光入射部分７２の下に出射され、残りは、隆起部７１の湾曲形状により、外側部７３および内側部７４へと導光される。
【００５１】
外側部７３および内側部７４の上面には、図３に示すように、複数の凹入部（ディンプル）が形成されている。これにより、導光部材７０内部に入射した光が拡散され、均一な面発光を得ることができる。即ち、導光部材７０の下面全体から下へと光が出射される全面発光型の発光部４が構成される。これにより、発光部４は、下面全体が光出射領域となる。凹入部の形状や大きさ、個数、分布は、は、照明装置１に要求されている配向特性となるように、設計されている。
（４）下カバー
下カバー８０は、発光部４の下側を覆う有底筒状の部材である。下カバー８０の筒の底面に相当する部分は、中央カバー部８１であり、筒の筒壁に相当する部分は、周辺カバー部８２である。中央カバー部８１の下面は、略平坦な面であるが、周辺カバー部８２の下面は、外側に向かうにつれて上に湾曲する曲面となっている。周辺カバー部８２の外周面８２ｃは、装置本体２が吊るされた状態においては、略鉛直な面となっている。
【００５２】
下カバー８０は、導光部材７０から出射された光を拡散して、照明装置１から下へと出射する機能を有する。拡散機能は、下カバー８０を構成する主材料である透光性材料に拡散材料を分散させることで得られる。
透光性材料としては、例えばシリコーン樹脂、アクリル樹脂、ポリカーボネート樹脂の樹脂材料がある。拡散材料としては、例えば、乳白色ガラス（オパールガラス）、乳白ガラス等がある。
【００５３】
ここでは、下カバー８０は、１つの部材から構成されている。図１（ｂ）で下カバーの中央部分に見えている円状の線Ｂは、円の内外での形状変化（外面の曲率の変化）を示す線である。
下カバー８０は、図１から図３に示すように、外観形状として底面が緩やかに下に突出した有底筒状をし、基台４０に対して装着される。下カバー８０は、図５（ａ）に示すように、基台４０よりも大きい。即ち、底面視したときに、下カバー８０の周縁は発光部４の周縁よりも大きく、発光部４を下側から覆っている。
【００５４】
下カバー８０は、中央カバー部８１と周辺カバー部８２とから成る。中央カバー部８１は、筒の底面に相当する部分であり、発光部（より正確には導光部材７０である。）４の光出射領域における中央部分と対向している。周辺カバー部８２は、筒の筒壁に相当する部分であり、中央カバー部８１の外側に連設されている。周辺カバー部８２は、光出射領域の周縁部分と対向する領域と、光出射領域と対向しない領域とを有する。つまり、発光部４の周縁部分の下に周辺カバー部８２の一部が存在している。
【００５５】
中央カバー部８１は、図５（ａ）に示すように、導光部材７０の下面（発光部４の光出射領域）と略平行であり、下面との間隔も略一定である。なお、中央カバー部８１の肉厚は、図５（ａ）に示すように、略一定である。
周辺カバー部８２は、上へと突出し、筒の周壁部分を形成している。周辺カバー部８２の突出先端は、発光部４の光出射領域の周縁部分と接触している。このため、突出端部における光出射領域の周縁部分との接触面および周辺カバー部８２の内周面が、発光部４の光出射領域から出射された光が周辺カバー部８２に入射する光入射領域となる。
【００５６】
周辺カバー部８２の肉厚は、図５（ａ）に示すように、中央カバー部８１の肉厚よりも厚くなっている。
下カバー８０の周辺カバー部８２の突出端部（上端部）には、貯留溝８２ａが周方向に連続して平面視円環状に形成されている。貯留溝８２ａ内部にパッキン６ｃが配置された状態で貯留溝８２ａに接着剤６ｄが充填されて下カバー８０が基台４０に装着される。そして接着剤６ｄが乾燥して固化することにより、下カバー８０が基台４０に結合される。
【００５７】
貯留溝８２ａは、図５（ａ）に示すように、基台４０の第２筒壁４１ｂ２の下端部に対向しており、第２筒壁４１ｂ２の一部（下端部）が貯留溝８２ａに挿入される。
（６）その他
（６−１）密閉手段
ＬＥＤの電極や反射面に銀が使用される場合がある。その場合、大気中の硫化物、および他の部品から発生するアウトガスに触れると銀が黒化し、光束劣化を引き起こすことになる。そこで、照明装置１では、ＬＥＤ５２が外気やアウトガスに曝されるのを防止する密閉手段を備えている。具体的には、下カバー８０の貯留溝８２ａ内に配されたリングタイプのパッキン６ｃであり、基台４０の第１底壁４１ａ１に形成されている貫通孔４１ａ１ａを塞ぐ栓タイプのブッシング６ｅである。
【００５８】
なお、密閉手段は、発光モジュール５０（特にＬＥＤ５２）を封止できれば良く、パッキンの種類・形状等は問わない。例えば、パッキン６ｃの代わりに封止樹脂等で封止してもよい。
（６−２）閉端接続子
図５（ａ）に示すように、照明装置１は、ＬＥＤ５２から導出されたリード線とコード１０からのリード線を結線するための閉端接続子６ｆを備える。閉端接続子６ｆの構成およびリード線の結線方法については、公知であるため、ここでは説明を省略する。
【００５９】
（６−３）張力止め
図５（ａ）に示すように、照明装置１は、張力止め６ｇを備える。張力止め６ｇは、装置本体２が吊下げられたときに、コード１０のリード線とＬＥＤ５２からのリード線との境界部分に負荷（張力）がかかって電気的接続が切断されるのを防止するための部材である。なお、図３においては、張力止め６ｇについては、図示を省略している。
【００６０】
張力止め６ｇは、固定具３０の本体部３１内においてコード１０を、例えば固く挟持することによりコード１０に固定される。張力止め６ｇは、コード１０と挿通孔３１ａとの間の隙間よりもサイズが大きいため、装置本体２が吊下げられたときに、挿通孔３１ａに引っかかる。これにより、コード１０が固定具３０の挿通孔３１ａから上へ抜けるのを防ぎ、コード１０の張力止め６ｇよりも下の部分に張力からの負荷がかかるのを防止することができる。
【００６１】
張力止め６ｇとしては、例えば、結束バンドが用いられる。
［３．カバー外れ防止効果］
吊下げられた状態の装置本体２にユーザの手や洋服などが触れた際に、下カバー８０が外れる場合がある。特に、ユーザの手などが上から下へと動いている時に下カバー８０に触れると、下カバー８０に下方向の負荷がかかり、外れやすくなる。とりわけ、ケース３と下カバー８０との境界部分は、不連続な面であるため、ユーザの手などが触れると引っかかってより外れやすい。
【００６２】
図５（ｂ）は、図５（ａ）において一点鎖線で示す円Ｃで囲まれた境界部分５を拡大して示す図であり、照明装置１の要部拡大縦断面図である。言い換えれば、照明装置１の縦断面（上下方向の断面）における、ケース３と下カバー８０との境界部分５を拡大して示す図である。なお、ここでは、ケース３と下カバー８０との境界部分とは、実際に接着剤等により結合されている部分ではなく、ケース３と下カバー８０との外観上の境界部分であり、外部から見てケース３と下カバー８０とが突き合わされている部分を指している。以下、各実施形態および各変形例においても同様である。
【００６３】
本実施形態における境界部分５は、より具体的には、上カバー２０の周壁部２２の下端部である対向部分２０ｂと、下カバー８０の周辺カバー部８２の上端部である対向部分８０ｂとが対向している部分である。言い換えれば、本実施形態における境界部分５は、隙間Ｄ１およびその周辺部分である。隙間Ｄ１については、詳しくは、後述する。
図６（ａ）は、ケース３の平面図である。図６（ｂ）は、ケース３の底面図である。図６（ｃ）は、下カバー８０の平面図である。図６（ｄ）は、下カバー８０の底面図である。
【００６４】
図５（ｂ）および図６各図に示すように、境界部分５において、下カバー８０の外周縁８０ａと上カバー２０の外周縁２０ａとは、水平方向において同じ位置に存在している。言い換えれば、境界部分５において、ケース３と下カバー８０との間には、水平方向において段差が存在しない。
これはまた、次のように言い換えることができる。即ち、図５（ｂ）に示すように、ケース３の外周縁２０ａを通る鉛直な直線である第１仮想直線Ｖ１を想定した場合、下カバー８０の外周縁８０ａは、第１仮想直線Ｖ１上に位置している。
【００６５】
これにより、ユーザの手などが上から下へと動いている時に境界部分５に触れても、下カバー８０にひっかかりにくい。従って、下カバー８０に下方向の負荷がかかりにくいため、下カバー８０が外れにくい。
さらに、本実施形態に係る照明装置１においては、境界部分５よりも下の部分において、下カバー８０には、外周面８２ｃよりも水平方向外側に位置する部分が存在しない。言い換えれば、図５（ｂ）に示すように、下カバー８０の外周縁８０ａを通る鉛直な直線である第２仮想直線Ｖ２を想定した場合、下カバー８０の外周縁８０ａ以外の部分は、第２仮想直線Ｖ２上に位置しているか、または、第２仮想直線Ｖ２よりも内側に位置している。ここで、下カバー８０の外周縁８０ａ以外の部分とは、外周面８２ｃを含む周辺カバー部８２および中央カバー部８１である。即ち、外周縁８０ａを除いた下カバー８０全体が、下カバー８０の外周縁８０ａ以外の部分に含まれる。これにより、ユーザの手などが境界部分５からさらに下方へと移動しても、下カバー８０に引っかからないため、下カバー８０が外れにくい。
【００６６】
なおここで、「外周縁」とは、水平方向において最も外側に位置する部分のことである。境界部分における外周縁とは、境界部分において最も外側に位置する部分である。（以下、各実施形態および各変形例においても、同様である。）本実施形態においては、境界部分５におけるケース３の外周縁２０ａは、周壁部２２の外周面２２ａと合わせ面２０ｃ１との境目部分である。これは、段差２０ｃの最も外側の角の部分でもあり、合わせ面２０ｃ１の最も外側の周縁部分でもある。
【００６７】
また、本実施形態においては、周壁部２２の外周面２２ａは、略鉛直な面となっている。そのため、図６（ａ），（ｂ）においては、外周縁２０ａと外周面２２ａとは、重なっている（一致している）。また、図５（ａ），（ｂ）においては、第１仮想直線Ｖ１と外周面２２ａの断面を示す線とが重なっている。
同様に、下カバー８０の筒の筒壁に相当する部分である周辺カバー部８２の上端部の外周面８２ｃは略鉛直な面となっている。そのため、図６（ｃ），（ｄ）においては、境界部分５における下カバー８０の外周縁８０ａと、外周面８２ｃとは、重なっている（一致している）。また、図５（ａ），（ｂ）においては、第２仮想直線Ｖ２と外周面８２ｃの断面を示す線とが重なっている。
【００６８】
さらには、本実施形態においては、下カバー８０の外周縁８０ａが第１仮想直線Ｖ１上に位置しているため、第１仮想直線Ｖ１と第２仮想直線Ｖ２とは、重なっている（一致している）。
［４．合わせ面］
図５（ａ）および図５（ｂ）に示すように、上カバー２０の周壁部２２の下端に位置する対向部分２０ｂと、下カバー８０の上端に位置する対向部分８０ｂとは、互いに対向している。上カバー２０の対向部分２０ｂには、外側が切り欠かれて段差２０ｃが形成されている。そして、段差２０ｃを規定する上下方向の面と左右方向の面とのうち左右方向の面（対向部分８０ｂの接合面８０ｂ１と対向する面）である合わせ面２０ｃ１と、対向部分８０ｂとの間には、隙間Ｄ１が形成されている。隙間Ｄ１の上下方向（Ｚ軸方向）の間隔ｄ１は、０．３〜０．７〔ｍｍ〕である。隙間Ｄ１の間隔ｄ１のより適した大きさとしては、０．５〔ｍｍ〕である。この程度の大きさの隙間であれば、ユーザの手などが触れた際に隙間Ｄ１の中に入り込む可能性が低く、下カバー８０が外れやすくなることはない。
【００６９】
照明装置は、点灯の際の温度上昇により伴う部品の膨張により、部品同士の対向部分に圧力がかかり、異音が生じたり、境界部分が変形したり、疲労が発生したり、といった問題がある。境界部分が外部から見える箇所である場合、変形が生じると、美観を損なうという問題がさらに生じる。
本実施形態に係る照明装置１においては、隙間Ｄ１が形成されていることにより、上記部品の膨張による対向部分にかかる圧力を軽減することができる。従って、上記異音、変形、疲労、美観劣化といった問題の発生を抑制することができる。
【００７０】
また、製造誤差による対向部分の不整合も美観を損なう要因となる。即ち、上カバー２０と下カバー８０との接合部分において、密に接している部分と隙間が開いている部分とがあると、見た目が悪い。照明装置１においては、接合面２０ｂ１が段差２０ｃの分だけ外周面２２ａから奥まったところに位置しており、接合面２０ｂ１と接合面８０ｂ１との接合部分がユーザから見えにくくなっている。これにより、製造誤差による美観劣化の問題も抑制することができる。また、上記熱膨張による対向部分の変形が発生した場合であっても、対向部分が奥まったところに位置しているため、ユーザから見えにくく、美観劣化を軽減することができる。
【００７１】
≪実施形態２≫
実施形態１に係る照明装置１では、境界部分５における上カバー２０の外周縁２０ａと、境界部分５における下カバー８０の外周縁８０ａとが水平方向において同じ位置に存在していた。従って、境界部分５において水平方向の段差が無く、ユーザの手などが触れた際に、境界部分に引っかかりにくいため、照明装置１は、下カバーが外れにくい構成を有していた。
【００７２】
ユーザの手などが触れた際に下カバーが外れにくい構成は、実施形態１の構成に限られない。
図５（ｃ）は、実施形態２に係る照明装置１００の鉛直断面における境界部分の拡大断面図である。図７（ａ）は、実施形態２に係る照明装置１００のケース１０３の平面図である。図７（ｂ）は、ケース１０３の底面図である。図７（ｃ）は、実施形態２に係る照明装置１００の下カバー８０の平面図である。図７（ｄ）は、下カバー８０の底面図である。実施形態２に係る照明装置１００は、上カバー１２０の形状が実施形態１の上カバー２０と異なる点以外は、基本的な構成は実施形態１に係る照明装置１と同じである。そこで、説明の重複を避けるため、実施形態１と同じ構成要素については、同符号を付して、その説明を省略する。以下、実施形態３および各変形例についても同様である。なお、照明装置１００については、実施形態１に係る照明装置１と異なっている部分である境界部分１０５周辺の拡大縦断面図のみを図面には示しており、全体図の図示は省略している。
【００７３】
図５（ｃ）および図７各図に示すように、境界部分１０５において、下カバー８０の外周縁８０ａは、上カバー１２０の外周縁１２０ａよりも水平方向において内側に位置している。言い換えれば、実施形態２に係る照明装置１００は、ケース１０３と下カバー８０との境界部分１０５において、上カバー１２０の外周縁１２０ａよりも、下カバー８０の外周縁８０ａの方が内側に引っ込んでいる。
【００７４】
これはまた、次のように言い換えることができる。即ち、図５（ｃ）に示すように、ケース１０３の外周縁１２０ａを通る鉛直な直線である第１仮想直線Ｖ１０１を想定した場合、下カバー８０の外周縁８０ａは、第１仮想直線Ｖ１０１よりも内側に位置している。
従って、ユーザの手などが上から下へと移動しながら境界部分１０５に触れた際に、上カバー１２０の下端部（対向部分１２０ｂ）を通過した手などと下カバー８０の上端部（対向部分８０ｂ）との間の距離が、実施形態１の場合と比較して、より離れている。これにより、実施形態１の場合と比較して、ユーザの手などが下カバー８０の上端部（より正確には、外周縁８０ａ）に、より引っかかりにくいため、下カバー８０がより外れにくい。
【００７５】
なお、図７各図においては、わかりやすくするために、ケース１０３と下カバー８０との大きさの差を若干誇張して図示している。
本実施形態に係る照明装置１００においては、上カバー１２０の周壁部１２２は、略鉛直な面であるため、周壁部１２２における外周面１２２ａと外周縁１２０ａとは、平面視および底面視において、重なっている（一致している）。また、図５（ｃ）においては、第１仮想直線Ｖ１０１と外周面１２２ａの断面を示す線とが重なっている。
【００７６】
また、本実施形態においても、上カバー１２０の下端部には段差１２０ｃが形成されており、上カバー１２０の合わせ面１２０ｃ１と、下カバー８０の対向部分８０ｂ（より正確には、接合面８０ｂ１）との間には、隙間Ｄ２が形成されている。隙間Ｄ２の上下方向（Ｚ軸方向）の間隔ｄ２は、０．３〜０．７〔ｍｍ〕であり、より適した間隔としては、０．５〔ｍｍ〕である。
【００７７】
実施形態２に係る照明装置１００においても隙間Ｄ２が形成されていることにより、実施形態１に係る照明装置１の場合と同様に、異音、変形、疲労、美観劣化といった問題の発生を抑制することができる。
本実施形態における境界部分１０５は、隙間Ｄ２およびその周辺部分である。
本実施形態においても、下カバー８０の境界部分１０５における外周縁８０ａは、下カバー８０において最も水平方向外側に位置している。即ち、言い換えれば、図５（ｃ）に示すように、下カバー８０の外周縁８０ａを通る鉛直な直線である仮想直線Ｖ２を想定した場合に、下カバー８０の外周縁８０ａ以外の部分は、第２仮想直線Ｖ２上に位置しているか、第２仮想直線Ｖ２よりも内側に位置している。従って、実施形態１と同様に、ユーザの手などが境界部分１０５からさらに下へと移動しても、下カバー８０に引っかからないため、下カバー８０が外れにくい。
【００７８】
≪実施形態３≫
実施形態１に係る照明装置１および実施形態２に係る照明装置１００においては、合わせ面が形成されていることにより、異音、変形、疲労、美観劣化といった問題の発生を抑制することができる。
実施形態３では、合わせ面にさらに別の効果が付与された構成について説明する。
【００７９】
図８（ａ）は、鉛直な平面による実施形態３に係る照明装置２００の一部縦断面図である。図８（ｂ）は、図８（ａ）において一点鎖線で示す円Ｅで囲まれた境界部分２０５を拡大して示す図であり、照明装置２００の要部拡大断面図である。言い換えれば、吊下げられた状態での照明装置２００の鉛直な断面における、ケース２０３と下カバー８０との境界部分２０５を拡大して示す図である。なお、図８（ａ）および図８（ｂ）においては、装置本体２０２の重心であり、平面視における装置本体２０２（上カバー２２０）の中心でもある挿通孔２２１ｂ１の中心を通る鉛直な平面による断面（縦断面）である。
【００８０】
図８（ａ）および図８（ｂ）に示すように、上カバー２２０の下端部である対向部分２２０ｂには、段差２２０ｃが形成されている。そして、合わせ面２２０ｃ１は、内側に位置する内側合わせ面２２０ｃ１ａと、その外側に連設された外側合わせ面２２０ｃ１ｂとから構成されている。内側合わせ面２２０ｃ１ａは、実施形態１における合わせ面２０ｃ１と同様に、略水平な面である。一方、外側合わせ面２２０ｃ１ｂは、上に傾斜する傾斜面となっている。即ち、外側合わせ面２２０ｃ１ｂは、内側から外側に向かうにつれて下カバー８０の対向部分８０ｂから離間する態様の傾斜面である。また、外側合わせ面２２０ｃ１ｂは、光反射性を備えた光反射面である。光反射性が付与される具体的な処理としては、例えば、外側合わせ面２２０ｃ１ｂに白色の樹脂塗料を用いた塗装処理が施されていてもよい。
【００８１】
ここで、隙間Ｄ３において、内側合わせ面２２０ｃ１ａと対向部分８０ｂ（より正確には、接合面８０ｂ１）と間の上下方向の間隔ｄ３は、０．３〜０．７〔ｍｍ〕であり、より適した距離としては、０．５〔ｍｍ〕である。外側合わせ面２２０ｃ１ｂと対向部分８０ｂと間の上下方向の間隔ｄ４は、１〜２〔ｍｍ〕である。
本実施形態における境界部分２０５は、隙間Ｄ３およびその周辺部分である。
【００８２】
図８（ａ）において、折れ線の矢印Ｌは、ＬＥＤ５２から発せられた光の一部が進む経路を示す。矢印Ｌによって示されるように、ＬＥＤ５２から発せられた光の一部は、光入射部分７２から導光部材７０内に入射する。導光部材７０内に入射した光の一部は、導光部材７０の内部を、反射を繰り返しながら外側へと導光される。そして、下カバー８０と接する部分である外周縁部７３ａから、下カバー８０の光入射部分（光入射部）８２ｂへと入射する。下カバー８０内に入射した光の一部は、下カバー８０内部で反射を繰り返し、やがて対向部分８０ｂから出射される。
【００８３】
対向部分８０ｂから出射される光としては、上記のほか、次のような経路の光も考えられる。導光部材７０の下面から下方に出射されて下カバー８０の中央カバー部８１に入射した光の一部が、中央カバー部８１の内部を、反射を繰り返しながら外側へと導光されて周辺カバー部８２へと到達する。そして、周辺カバー部８２内部で反射を繰り返した後、最終的に対向部分８０ｂから出射される。
【００８４】
対向部分８０ｂから出射された光は、外側合わせ面２２０ｃ１ｂに当たって外側方向に反射される。
これにより、ユーザが点灯時に装置本体２０２を側方から見た場合、装置本体２０２の側面に沿って周方向に環状の光のラインが視認され、美観向上に資することができる。
また、本実施形態に係る照明装置２００においても、実施形態１および２と同様に、下カバー８０が外れにくい構成となっている。図８（ｂ）に示すように、ケース３の外周縁２２０ａを通る鉛直な直線である第１仮想直線Ｖ２０１を想定した場合、下カバー８０の外周縁８０ａは、第１仮想直線Ｖ２０１上に位置している。
【００８５】
これにより、ユーザの手などが上から下へと動いている時に境界部分２０５に触れても、下カバー８０にひっかかりにくい。従って、下カバー８０に下方向の負荷がかかりにくく、下カバー８０が外れにくい。
本実施形態においては、上カバー２２０の周壁部２２２の外周面２２２ａは、略鉛直な面となっている。そのため、図８（ｂ）においては、第１仮想直線Ｖ２０１と外周面２２２ａの断面を示す線とが重なっている。
【００８６】
さらには、本実施形態においては、下カバー８０の外周縁８０ａが第１仮想直線Ｖ２０１上に位置しているため、第１仮想直線Ｖ２０１と第２仮想直線Ｖ２とは、重なっている（一致している）。
＜変形例＞
以上、本発明の一態様を、実施形態１〜３に基づいて説明したが、本発明は上記各実施形態に限られない。例えば、以下のような変形例を実施することができる。
【００８７】
１．照明装置
（１）吊り下げ手段
（変形例１）
実施形態１〜３においては、照明装置は、天井からの吊り下げ手段としてコード１０を利用している。しかしながら、吊り下げ手段は、これに限られず、コード以外に、例えば、チェーン、パイプ、ワイヤー等を利用してもよい。
【００８８】
（２）種類
（変形例２）
実施形態１〜３においては、吊下げ型の照明装置について説明した。しかしながら、本発明は、吊下げ型の照明装置以外の他のタイプの照明装置にも適用できる。他のタイプの照明装置としては、例えば、デスクスタンド等のアーム状の支持部材の先端に灯具（発光部）が取着されたタイプの照明装置や、壁に装着されるブラケットタイプの照明装置等がある。
【００８９】
（３）形状
（変形例３）
実施形態１〜３においては、底面視した場合に、照明装置の装置本体の形状は円形であったが、これに限られず、他の形状であってもよい。他の形状としては、例えば、三角形および四角形等の多角形状（正多角形状および正多角形状でない多角形状を含む。）、楕円形状、長円形状、ハート形や星形等がある。
【００９０】
（変形例４）
実施形態１〜３においては、照明装置の装置本体は、側面視において、長方形様の扁平な形状をしていた。しかし、装置本体の形状はこれに限られない。側面視において、例えば、正方形状、扁平でない長方形状、円形状、半円形状、ドーム形状等であってもよい。
（４）ケースと下カバーの結合
実施形態１，２，３に係る照明装置１，１００，２００においては、ケース（より正確には、上カバー）と下カバーとの結合は、接着剤により行われていたが、これに限られない。例えば、ケースに係合部が設けられ、下カバーに被係合部が設けられ、係合部と被係合部とが係合することによりケースと下カバーとが結合されてもよい。
【００９１】
（変形例５）
図９（ａ）は、変形例５に係る照明装置３００の、図５（ａ）における円Ｃで囲まれた部分に相当する部分の縦断面図である。図９（ａ）に示す照明装置３００のように、ケース３０３の上カバー３２０の下端部には、内面に周方向にネジ溝が形成された係合部３２３が設けられている。下カバー３８０の周辺カバー部３８２の上端部には、外面に周方向にネジ溝が形成された被係合部３８３が形成されている。そして、下カバー３８０を周方向に回転させながら上カバー３２０にねじ込むことにより、下カバー３８０が上カバー３２０に螺着される。即ち、係合部３２３と被係合部３８３とが係合することにより、上カバー３２０と下カバー３８０とが結合される。
【００９２】
本変形例においても、境界部分３０５において、上カバー３２０の外周縁３２０ａと下カバー３８０の外周縁３８０ａとは、水平方向において同じ位置に存在している。言い換えれば、図９（ａ）に示すように、上カバー３２０の外周縁３２０ａ、即ちケース３０３の外周縁３２０ａを通る鉛直な直線である第１仮想直線Ｖ３０１を想定した場合、下カバー３８０の外周縁３８０ａは、第１仮想直線Ｖ３０１上に位置している。つまり、境界部分３０５において、ケース３０３と下カバー３８０との間には、水平方向において段差が存在しない。これにより、ユーザの手などが上から下へと動いている時に境界部分３０５に触れても下カバー３８０にひっかかりにくく、下カバー３８０が外れにくい。
【００９３】
さらに、図９（ａ）に示すように、本変形例に係る照明装置３００における下カバー３８０の外周縁３８０ａを通る鉛直な直線である第２仮想直線Ｖ３０２を想定した場合、下カバー３８０の外周縁３８０ａ以外の部分は、第２仮想直線Ｖ３０２上に位置しているか、第２仮想直線Ｖ３０２よりも内側に位置している。ここで、下カバー３８０の外周縁３８０ａ以外の部分とは、外周面３８２ｃを含む周辺カバー部３８２および中央カバー部である。即ち、外周縁３８０ａを除いた下カバー３８０全体が、下カバー３８０の外周縁３８０ａ以外の部分に含まれる。
【００９４】
なお、本変形例に係る照明装置３００においても、実施形態１〜３と同様に、隙間Ｄ４が形成されている。本変形例における境界部分３０５は、隙間Ｄ４およびその周辺部分である。
（変形例６）
図９（ｂ）は、変形例６に係る照明装置４００の、図５（ａ）における円Ｃで囲まれた部分に相当する部分の縦断面図である。図９（ｂ）に示す照明装置４００のように、ケース４０３の上カバー４２０の下端部には、外面に周方向にネジ溝が形成された係合部４２３が設けられている。下カバー４８０の周辺カバー部４８２の上端部には、外面に周方向にネジ溝が形成された被係合部４８３が形成されている。そして、下カバー４８０が上カバー４２０に螺着される。即ち、係合部４２３と被係合部４８３とが係合することにより、上カバー４２０と下カバー４８０とが結合される。
【００９５】
本変形例においても、境界部分４０５において、上カバー４２０の外周縁４２０ａと下カバー４８０の外周縁４８０ａとは、水平方向において同じ位置に存在している。言い換えれば、図９（ｂ）に示すように、上カバー４２０の外周縁４２０ａ、即ちケース４０３の外周縁４２０ａを通る鉛直な直線である第１仮想直線Ｖ４０１を想定した場合、下カバー４８０の外周縁４８０ａは、第１仮想直線Ｖ４０１上に位置している。つまり、境界部分４０５において、ケース４０３と下カバー４８０との間には、水平方向において段差が存在しない。これにより、ユーザの手などが上から下へと動いている時に境界部分４０５に触れても下カバー４８０にひっかかりにくく、下カバー４８０が外れにくい。
【００９６】
さらに、図９（ｂ）に示すように、本変形例に係る照明装置４００における下カバー４８０の外周縁４８０ａを通る鉛直な直線である第２仮想直線Ｖ４０２を想定した場合、下カバー４８０の外周縁４８０ａ以外の部分は、第２仮想直線Ｖ４０２上に位置しているか、第２仮想直線Ｖ４０２よりも内側に位置している。ここで、下カバー４８０の外周縁４８０ａ以外の部分とは、外周面４８２ｃを含む周辺カバー部４８２および中央カバー部である。即ち、外周縁４８０ａを除いた下カバー４８０全体が、下カバー４８０の外周縁４８０ａ以外の部分に含まれる。
【００９７】
なお、本変形例に係る照明装置４００においても、実施形態１〜３と同様に、隙間Ｄ５が形成されている。本変形例における境界部分４０５は、隙間Ｄ５およびその周辺部分である。
（変形例７）
図９（ｃ）は、変形例７に係る照明装置５００の、図５（ａ）における円Ｃで囲まれた部分に相当する部分の縦断面図である。図９（ｃ）に示す照明装置５００のように、ケース５０３の上カバー５２０の下端部には、外面に周方向にネジ溝が形成された係合部５２３が設けられている。下カバー５８０の周辺カバー部５８２の上端部には、外面に周方向にネジ溝が形成された被係合部５８３が形成されている。そして、下カバー５８０が上カバー５２０に螺着される。即ち、係合部５２３と被係合部５８３とが係合することにより、上カバー５２０と下カバー５８０とが結合される。
【００９８】
本変形例においては、境界部分５０５において、上カバー５２０の外周縁５２０ａは、下カバー５８０の外周縁５８０ａよりも、水平方向において外側に位置している。言い換えれば、図９（ｃ）に示すように、上カバー５２０の外周縁５２０ａ、即ちケース５０３の外周縁５２０ａを通る鉛直な直線である第１仮想直線Ｖ５０１を想定した場合、下カバー５８０の外周縁５８０ａは、第１仮想直線Ｖ５０１よりも内側に位置している。つまり、境界部分５０５において、下カバー４８０はケース４０３よりも水平方向内側に引っ込んでいる。これにより、ユーザの手などが上から下へと動いている時に境界部分４０５に触れても下カバー４８０にひっかかりにくく、下カバー４８０が外れにくい。
【００９９】
さらに、図９（ｃ）に示すように、本変形例に係る照明装置５００における下カバー５８０の外周縁５８０ａを通る鉛直な直線である第２仮想直線Ｖ５０２を想定した場合、下カバー５８０の外周縁５８０ａ以外の部分は、第２仮想直線Ｖ５０２上に位置しているか、第２仮想直線Ｖ５０２よりも内側に位置している。ここで、下カバー５８０の外周縁５８０ａ以外の部分とは、外周面５８２ｃを含む周辺カバー部５８２および中央カバー部である。即ち、外周縁５８０ａを除いた下カバー５８０全体が、下カバー５８０の外周縁５８０ａ以外の部分に含まれる。
【０１００】
なお、変形例５および６に係る照明装置３００および４００においては、実施形態１および２と同様に、境界部分に隙間が形成されていたが、変形例７に係る照明装置５００においては、境界部分５０５に隙間が形成されていない。本変形例に係る照明装置５００では、境界部分５０５において、上カバー５２０と下カバー５８０とが上下方向において対向していないため、熱膨張により余計な圧力がかかることがない。従って、境界部分５０５に隙間を形成する必要が無いからである。なお、この場合においても、上カバー５２０の下端部および／または下カバー５８０の上端部に段差が形成されていてもよい。
【０１０１】
本変形例における境界部分５０５は、外周縁５２０ａ、外周縁５８０ａ、およびこれらの周辺部分である。
（変形例８）
図９（ｄ）は、変形例８に係る照明装置６００の、図５（ａ）における円Ｃで囲まれた部分に相当する部分の縦断面図である。図９（ｄ）に示す照明装置６００のように、ケース６０３の上カバー６２０の下端部には、係合部６２３が形成されている。係合部６２３は、内面に水平方向外側に凹入する凹部６２３ａを有する。下カバー６８０の周辺カバー部６８２の上端部には、爪状部材である被係合部６８３が形成されている。被係合部６８３は、外側に突部６８３ａを有する。そして、下カバー６８０の被係合部６８３が上カバー６２０内に下から挿入され、凹部６２３ａに突部６８３ａが嵌り込んで係合部６２３と被係合部６８３とが係合し、上カバー６２０と下カバー６８０とが結合される。
【０１０２】
本変形例においても、境界部分６０５において、上カバー６２０の外周縁６２０ａと下カバー６８０の外周縁６８０ａとは、水平方向において同じ位置に存在している。言い換えれば、図９（ｄ）に示すように、上カバー６２０の外周縁６２０ａ、即ちケース６０３の外周縁６２０ａを通る鉛直な直線である第１仮想直線Ｖ６０１を想定した場合、下カバー６８０の外周縁６８０ａは、第１仮想直線Ｖ６０１上に位置している。つまり、境界部分６０５において、ケース６０３の外周縁６２０ａと下カバー６８０の外周縁６８０ａとの間には、水平方向において段差が存在しない。これにより、ユーザの手などが上から下へと動いている時に境界部分６０５に触れても下カバー６８０にひっかかりにくく、下カバー６８０が外れにくい。
【０１０３】
さらに、図９（ｄ）に示すように、本変形例に係る照明装置６００における下カバー６８０の外周縁６８０ａを通る鉛直な直線である第２仮想直線Ｖ６０２を想定した場合、下カバー６８０の外周縁６８０ａ以外の部分は、第２仮想直線Ｖ６０２上に位置しているか、第２仮想直線Ｖ６０２よりも内側に位置している。ここで、下カバー６８０の外周縁６８０ａ以外の部分とは、外周面６８２ｃを含む周辺カバー部６８２および中央カバー部である。即ち、外周縁６８０ａを除いた下カバー６８０全体が、下カバー６８０の外周縁６８０ａ以外の部分に含まれる。
【０１０４】
また、本変形例においては、上カバー６２０に係合部６２３が形成され、下カバー６８０に被係合部６８３が形成されているため、ネジやボルト等の別部材を用いる必要が無い。そのため、ネジ穴やネジ頭が外部に露出することが無いため、美観を損なわない。また、部品点数および工程数を少なくすることができるため、コスト削減、省資源化、作業効率向上、コスト削減に資することができる。
【０１０５】
なお、本変形例に係る照明装置６００においても、実施形態１〜３と同様に、隙間Ｄ６が形成されている。本変形例における境界部分６０５は、隙間Ｄ６およびその周辺部分である。
また、本変形例においては、上カバー６２０に設けられた係合部６２３は凹部であり、下カバー６８０に設けられた被係合部６８３は爪状部材であった。しかし、これに限られず、例えば、係合部６２３が爪状部材であり、被係合部６８３が凹部であってもよい。また、係合部６２３と被係合部６８３とが共に爪状部材であり、互いの爪同士が係合する構成であってもよい。
【０１０６】
２．発光部
（１）構成
実施形態１〜３においては、発光部４は、発光モジュール５０、反射部材６０および導光部材７０から構成されていた。しかしながら、発光部の構成は、これらに限定されない。
【０１０７】
（変形例９）
例えば、発光部が、発光モジュールのみで構成されていてもよいし、発光モジュールおよび反射部材により構成されていてもよいし、発光モジュールおよび導光部材により構成されていてもよい。またこの場合、実施形態１において説明した発光モジュール５０、反射部材６０、導光部材７０と同じ構成であってもよいし、異なる構成であってもよい。
【０１０８】
（変形例１０）
例えば、発光モジュールは、実装基板と、実装基板上に均一な分布で実装された複数のＬＥＤ（ＳＭＤ等、その形態は特に限定するものでない。）とから構成されてもよい。この場合においても、全面発光型の発光部が得られる（この場合は、発光部が発光モジュールだけで構成される。）。
【０１０９】
（変形例１１）
また、発光モジュールと反射部材とから発光部が構成される場合、反射部材は単一の部材でなくてもよい。例えば、複数の反射部材を用い、複数のＬＥＤそれぞれに対応した位置に１つずつ反射部材を配設し、各ＬＥＤからの光を反射させてもよい。また、この場合、ＬＥＤはＳＭＤタイプに限られず、１つもしくは複数個のＬＥＤ素子を１つのユニットとして封止体により封止されたものでもよい。さらには、１個（１ユニット）のＬＥＤに１つの反射部材が対応する場合に限られず、例えば、数個（数ユニット）のＬＥＤに１つの反射部材が対応する構成であってもよい。
【０１１０】
（変形例１２）
また、導光部材を利用した発光部の場合、実施形態１に係る照明装置１のようにＬＥＤ５２と導光部材７０の主面（上面）とを対向させて配置してもよいし、ＬＥＤと導光部材の側面とを対向させてもよい。
（変形例１３）
実施形態１〜３における発光部４は、その光の出射方向側である下から当該発光部４を見た場合に、外観形状が円形状であって、その内側が略均一に発光するように構成されている。
【０１１１】
しかしながら、発光部は、例えば、その出射方向から見た場合に、環状に発光するように構成されたものであってもよいし、複数のライン状に発光するように構成されたものであってもよい。
（２）光源
（変形例１４）
実施形態１〜３においては、ＬＥＤ５２は、ＳＭＤタイプであったが、これに限られず、ベアーチップ等の他の形態のＬＥＤであってもよい。
【０１１２】
（変形例１５）
実施形態１〜３においては、発光部４の光源である半導体発光素子としてＬＥＤを利用したが、これに限られない。
半導体発光素子として、例えば、ＬＤ（レーザダイオード）や、有機ＥＬ（Ｅｌｅｃｔｒｏ−Ｌｕｍｉｎｅｓｃｅｎｃｅ：エレクトロルミネッセンス）素子を用いてもよい。
【０１１３】
３．下カバー
（１）形状
（変形例１６）
実施形態１〜３においては、下カバー８０は、底面視において、その外周形状が円形であり、発光部４を底面視した場合の形状（円形）と略同じである。
【０１１４】
しかしながら、底面視において、下カバーの形状は、発光部の形状と必ずしも一致しなくてもよい。例えば、発光部の底面視形状が円形で、下カバーの底面視形状が正方形等の他の形状であってもよい。その場合、底面視において、発光部の全体が、下カバーの領域内に収まっていることが望ましい。
（変形例１７）
実施形態１〜３においては、下カバー８０は、有底筒状であったが、これに限られない。例えば、下カバーが、ドーム状や椀状であってもよい。さらには、ケースが筒状または椀状であれば、発光部を収容するための空間がケース側で確保できるので、下カバーは板状であってもよい。下カバーがドーム状や椀状である場合、筒壁に相当する鉛直な面は無い。よって、鉛直な断面において、境界部分に含まれる部分である、下カバーの上端部の外周縁が、下カバーのうち最も外側に位置する部分であり、実施形態１〜３の外周縁８０ａに相当する。従って、照明装置の鉛直な断面において、上カバーの外周縁を通る鉛直な直線である第１仮想直線を想定した場合に、下カバーの外周縁は、上記第１仮想直線上に位置しているか、または、上記第１仮想直線よりも内側に位置している。そして、平面視において、境界部分における上カバーの外周縁が、下カバーの上端部における外周縁と同じ位置であるか、下カバーの上端部における外周縁よりも外側に位置している。
【０１１５】
また、下カバーが板状である場合、板の側面が境界部分における下カバーの外周面に相当する。従って、この場合、境界部分における下カバーの外周縁は、板の上面の外周縁であり、上面と側面との境目である。
（２）材料
（変形例１８）
実施形態１〜３に係る照明装置においては、下カバー８０の主な材料として、透光性の樹脂材料が利用されている。しかしながら、下カバーの材料は、透光性材料であれば他の材料であってもよい。他の材料としては、ガラス材料、透光性セラミック等が挙げられる。
【０１１６】
（３）構造
（変形例１９）
実施形態１〜３の下カバー８０は、１つの部材（部品）で構成されていたが、これに限られず、複数の部材を組み合わせて構成されていてもよい。また、例えば、中央カバー部と周辺カバー部とで、材料が異なるようにしてもよい。
【０１１７】
（変形例２０）
さらに、例えば、周辺カバー部の肉厚が中央カバー部よりも厚い場合、周辺カバー部を２層構造とし、周辺カバー部の１層目と中央カバーとを同じ材料で構成し、周辺カバー部の２層目だけを別の材料で構成してもよい。
（変形例２１）
また、実施形態１〜３の下カバー８０では、中央カバー部８１と周辺カバー部８２が連続して設けられていたが、例えば、他部を介して隣接する構成であってもよい。
【０１１８】
（４）拡散性
（変形例２２）
実施形態１〜３に係る照明装置においては、下カバー８０に光拡散性を付与するために、主材料である透光性材料に拡散材料を分散させた材料を用いて下カバー８０が形成されていた。しかし、これに限られない。例えば、下カバーの内面に微細な凹凸が無数に形成された、所謂フロスト加工が施されることにより、下カバーに拡散性が付与されてもよい。また、フロスト加工が下カバーの内面ではなく外面に施されていてもよいし、内面と外面の両方に施されていてもよい。
【０１１９】
（変形例２３）
また、例えば、発光部に導光板が含まれ、導光板の主面から均一な（輝度ムラのない）光が出射されるような場合は、下カバーの中央カバー部が光拡散性を有していなくてもよい。これは、下カバーで導光部材から出射された光を拡散する必要がないためである。
４．上カバー
（変形例２４）
実施形態１〜３に係る照明装置１，１００，２００は、上カバー２０，１２０，２２０を備えている。これは、装置としての意匠性や安全性を向上させるためである。
【０１２０】
つまり、照明装置１，１００，２００は、例えば、ダイニング等で利用された場合、装置の上部側がユーザによって視認可能な状態で、天井から吊り下げられる可能性がある。この場合、上カバー２０，１２０，２２０が装着されていないと、基台４０や固定具３０等が露出しており、意匠性や安全性を損なうからである。
従って、照明装置の上部側（発光部の出射領域の裏側でもある。）が、通常の使用状態でユーザによって視認されないような場合、照明装置が上カバーを備えないような構成としてもよい。そのような場合の具体例としては、シーリングタイプやダウンライトタイプの照明装置が挙げられる。
【０１２１】
上カバーを備えない場合、基台のみがケースを構成し、ケースの外周縁は、基台の外周縁である。
（変形例２５）
実施形態１〜３の上カバー２０，１２０，２２０は、１つの部材（部品）で構成されていたが、複数の部材を組み合わせて構成されてもよい。また、複数の材料、例えば、樹脂材料と金属材料とが組み合わされて用いられてもよい。
【０１２２】
（変形例２６）
実施形態１〜３においては、上カバー２０，１２０，２２０は、有底筒状であったが、これに限られない。例えば、上カバーが、ドーム状や椀状であってもよい。また、下カバーが筒状や椀状であれば、下カバー内部に発光部を収容するための空間が確保できるため、上カバーは板状であってもよい。
【０１２３】
上カバーがドーム状や椀状である場合、筒壁に相当する鉛直な面は無い。よって、鉛直な断面において、境界部分に含まれる部分である、上カバーの下端部の外周縁が、上カバーのうち最も外側に位置する部分であり、実施形態１〜３における外周縁２０ａ，１２０ａ，２２０ａに相当する。従って、照明装置の鉛直な断面において、上カバーの外周縁を通る鉛直な直線である第１仮想直線を想定した場合に、下カバーの外周縁は、上記第１仮想直線上に位置しているか、または、上記第１仮想直線よりも内側に位置している。そして、平面視において、境界部分における上カバーの下端部における外周縁が、下カバーの外周縁と同じ位置であるか、下カバーの外周縁よりも外側に位置している。
【０１２４】
また、上カバーが板状である場合、板の側面が境界部分における上カバーの外周面に相当する。従って、この場合、境界部分における上カバーの外周縁は、板の下面の外周縁であり、下面と側面との境目である。
５．境界部分
（１）段差
（変形例２７）
実施形態１〜３においては、段差は上カバーのみに形成されていたが、これに限られない。下カバーのみに段差が形成されていてもよいし、上カバーと下カバーの両方に段差が形成されていてもよい。これらいずれの場合においても、対向部分の外側が切り欠かれる態様で、即ち、外側に隙間が形成されるように段差は形成される。
【０１２５】
（２）合わせ面
（変形例２８）
実施形態３においては、外側合わせ面２２０ｃ１ｂが光反射性を備える具体的な処理について、白色の塗装処理が施されているとしたが、光反射処理については、これに限られない。例えば、外側合わせ面２２０ｃ１ｂに鏡面加工が施されていてもよいし、金属薄膜が貼付されていてもよい。
６．その他
（変形例２９）
上記各実施形態および各変形例においては、外部から供給される交流電力を変換してＬＥＤ５２を点灯させるための点灯回路ユニットについては、特に説明していない。点灯回路ユニットについては、照明装置の装置本体内部に備えてもよいし、天井内等の外部に備えてもよい。
【０１２６】
以上、本発明に係る照明装置の構成を、実施形態および変形例に基づいて説明したが、本発明は上記実施形態およびその変形例に限られない。例えば、上記実施形態およびその変形例の部分的な構成を、適宜組み合わせてなる構成であってもよい。
また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
【符号の説明】
【０１２７】
１，１００，２００，３００，４００，５００，６００  照明装置
３，１０３，２０３，３０３，４０３，５０３，６０３  ケース
４  発光部
５，１０５，２０５，３０５，４０５，５０５，６０５  境界部分
２０ａ，８０ａ，１２０ａ，２２０ａ，３２０ａ，３８０ａ，４２０ａ，４８０ａ，５２０ａ，５８０ａ，６２０ａ，６８０ａ  外周縁
２０ｂ，８０ｂ，１２０ｂ，２２０ｂ  対向部分
２０ｃ，１２０ｃ，２２０ｃ  段差
２０ｃ１，１２０ｃ１，２２０ｃ１  合わせ面
５２  ＬＥＤ（半導体発光素子）
８０，３８０，４８０，５８０，６８０  下カバー
８２ｂ  光入射部分（光入射部）
２２０ｃ１ｂ  外側合わせ面（傾斜面）
３２３，４２３，５２３，６２３  係合部
３８３，４８３，５８３，６８３  被係合部
Ｄ１，Ｄ２，Ｄ３，Ｄ４，Ｄ５，Ｄ６  隙間
ｄ１，ｄ２  間隔（上下方向の間隔）
Ｖ１，Ｖ１０１，Ｖ２０１，Ｖ３０１，Ｖ４０１，Ｖ５０１，Ｖ６０１  第１仮想直線
Ｖ２，Ｖ３０２，Ｖ４０２，Ｖ５０２，Ｖ６０２  第２仮想直線
【図１】
2014130743.tif 000003
【図２】
2014130743.tif 000004
【図３】
2014130743.tif 000005
【図４】
2014130743.tif 000006
【図５】
2014130743.tif 000007
【図６】
2014130743.tif 000008
【図７】
2014130743.tif 000009
【図８】
2014130743.tif 000010
【図９】
2014130743.tif 000011